(57)【要約】【課題】本発明は、回転移送により小段差に対応するもので、遊技玉のスムーズな吸い込み、吐き出しができるもので、構成部品点数の少数化によりコストダウンが図れる玉揚送装置を課題とする。【解決手段】本発明の玉揚送装置は、円周方向に複数の遊技玉を貯留する複数の貯留所と中心に駆動軸を設けた円形状のロータリーバケットと、該ロータリーバケットの片側に位置する駆動部を保持する駆動側保持部と、該ロータリーバケットの反対側に位置する複数の遊技玉が流入する流入ガイドと複数の遊技玉が排出する排出ガイドとを設けたガイド側保持部と、から構成された、ことを特徴とするものである。【選択図】図１
2006254956.tif 000002
【特許請求の範囲】
【請求項１】
円周方向に複数の遊技玉を貯留する複数の貯留所と中心に駆動軸を設けた円形状のロータリーバケットと、
該ロータリーバケットの片側に位置する駆動部を保持する駆動側保持部と、
該駆動側保持部の反対側に位置するガイド保持部と、
複数の遊技玉が流入する流入ガイドと、
複数の遊技玉が排出する排出ガイドと、
から構成された、ことを特徴とする玉揚送装置。
【請求項２】
請求項１の玉揚送装置であって、前記ガイド保持部又は駆動側保持部の同一面に下部に流入ガイドを設け、上部に排出ガイドを設けたこと、から構成された、ことを特徴とする玉揚送装置。
【請求項３】
請求項１の玉揚送装置であって、前記ガイド保持部又は駆動側保持部の下部に流入ガイドを設け、前記駆動側保持部又はガイド保持部の上部に該流入ガイドと反対側に排出ガイドを設けたこと、から構成された、ことを特徴とする玉揚送装置。
【請求項４】
請求項１に記載の玉揚送装置であって、該玉揚送装置を２個使用して、該２個の玉揚送装置を互いに左右に対向して組み合わせた、ことを特徴とする横２連装タイプの玉揚送装置。
【請求項５】
請求項１に記載の玉揚送装置であって、該玉揚送装置を２個使用して、該２個の玉揚送装置を上下に組み合わせた、ことを特徴とする縦２連装タイプの玉揚送装置。
【発明の詳細な説明】
【技術分野】
【０００１】
本発明は、遊技玉を揚送する玉揚送装置に関する。例えば複数台のパチンコ遊技機を一群に設置した遊技島において、各パチンコ遊技機から排出される遊技玉（パチンコ玉と称されている）を遊技島の下部に備えられた貯留タンクで受けて、この貯留タンクから上部に備えられた上部タンクに遊技玉を揚送し各パチンコ遊技機に補給する。このとき、当該貯留タンクに遊技玉を搬送して集積するために設置する玉揚送装置、及び上部タンクから各パチンコ遊技機に遊技玉を補給するために設置する玉揚送装置に関する。
【背景技術】
【０００２】
従来、遊技玉の揚送装置には、回転移送体による揚送、傾斜ミニリフトによる揚送、等があったが、回転移送体の遊技玉の流入排出が一個ずつである、傾斜ミニリフトのチェーン駆動によるゴンドラ機構が複雑である、等が問題となっていた。
【０００３】
特許文献１に記載の発明には、「一次側に貯留する遊技球を二次側に送り出す遊技球の送出装置において、複数の遊技球を取込み可能とした一次側の取込口８１、取込む遊技球を回転方向に整列させて移送する回転移送体８２、移送する遊技球を二次側通路に排出する排出口８３を備え、回転移送体８２による移送路８２２を水平面に対し傾斜させていると共に、この移送路８２２の傾斜方向下方に取込口８１を上方に排出口８３をそれぞれ設けた。」、及び「遊技球の検出精度を高めるために、同図４４等に示すように、取込口８１から離れた下流側の移送路８２２は、球一個分の通過を許容する規制通路としており、この規制通路に球検出器８５を配設した。」と記載されている。
【０００４】
このように、特許文献１の回転移送体による揚送装置は、回転移送体を用いての送出の問題点として、（１）玉の流入・払出が一個ずつであるので、移送量が少ない、等が問題となっていた。
【０００５】
また、特許文献２に記載の発明には、「請求項１に記載した発明のパチンコ玉用傾斜ミニリフトの基本構成は、下スプロケットと、この下スプロケットの斜め上方に設けてある上スプロケットと、これらの両スプロケットに巻き掛けてあるチェーンと、このチェーンの外側に前後が接近状態かつエンドレス状に装着してある複数のゴンドラと、下スプロケットの近傍に設けてあるパチンコ玉の供給口と、上スプロケットの近傍に設けてあるパチンコ玉の排出口とを備えたものによって構成してある。」と記載されている。
【０００６】
このように、特許文献２の傾斜ミニリフトの揚送装置は、チェーン駆動によるゴンドラ機構の問題点として、（１）構成部品がチェーン駆動のため、構成部品多数、メンテナンス性が悪い、等が問題となっていた。
【０００７】
【特許文献１】特開２０００−７９２２７号公報（第２頁、右欄５〜１２行目及び１７〜２１行目、並びに図４４）
【特許文献２】特開２００２−１８６７６８号公報（第２頁、右欄３９〜４８行目、及び図１）
【発明の開示】
【発明が解決しようとする課題】
【０００８】
そこで、本発明は上記に鑑みてなされたもので、遊技玉のスムーズな吸い込み、吐き出しができ、構成部品点数の少数化によりコストダウンが図れ、かつ回転移送体による玉揚送装置、を課題とする。
【課題を解決するための手段】
【０００９】
上記目的を達成するために、本発明の玉揚送装置においては、下記のような手段を取った。
【００１０】
請求項１に記載の本発明は、円周方向に複数の遊技玉を貯留する複数の貯留所と中心に駆動軸を設けた円形状のロータリーバケットと、該ロータリーバケットの片側に位置する駆動部を保持する駆動側保持部と、該駆動側保持部の反対側に位置するガイド保持部と、複数の遊技玉が流入する流入ガイドと、複数の遊技玉が排出する排出ガイドと、から構成された、ことを特徴とする玉揚送装置である。
【００１１】
これは、ロータリーバケット方式による揚送機構を用いることにより、ロータリーバケットにより遊技玉の吸い込み、吐き出しが容易にできる、構成部品点数の少数化によりコストダウンが図れ、かつロータリーバケットによる回転移送体により多量の玉の移送ができる、等が可能となった。
【００１２】
請求項２に記載の本発明は、請求項１の玉揚送装置であって、前記ガイド保持部又は駆動側保持部の同一面に下部に流入ガイドを設け、上部に排出ガイドを設けたこと、から構成された、ことを特徴とする玉揚送装置である。
【００１３】
これは、ロータリーバケット方式による揚送機構を用いることにより、ロータリーバケットにより遊技玉の吸い込み、吐き出しが容易にできる、構成部品点数の少数化によりコストダウンが図れ、かつロータリーバケットによる回転移送体により多量の玉の移送ができる、等が可能となった。
【００１４】
請求項３に記載の本発明は、請求項１の玉揚送装置であって、前記ガイド保持部又は駆動側保持部の下部に流入ガイドを設け、前記駆動側保持部又はガイド保持部の上部に該流入ガイドと反対側に排出ガイドを設けたこと、から構成された、ことを特徴とする玉揚送装置である。
【００１５】
これは、ロータリーバケット方式による揚送機構を用いることにより、ロータリーバケットにより遊技玉の吸い込み、吐き出しが容易にできる、構成部品点数の少数化によりコストダウンが図れ、かつロータリーバケットによる回転移送体により多量の玉の移送ができる、等が可能となった。
【００１６】
請求項４に記載の本発明では、請求項１に記載の玉揚送装置であって、該玉揚送装置を２個使用して、該２個の玉揚送装置を互いに左右に対向して組み合わせた、ことを特徴とする横２連装タイプの玉揚送装置である。
【００１７】
これは、玉揚送装置同士を組合わせることにより、揚送の容量を多くすることが可能となる。
【００１８】
請求項５に記載の本発明は、請求項１に記載の玉揚送装置であって、該玉揚送装置を２個使用して、該２個の玉揚送装置を上下に組み合わせた、ことを特徴とする縦２連装タイプの玉揚送装置である。
【００１９】
これは、玉揚送装置同士を組合わせることにより、揚送の高さを容易に変えることが可能となる。
【発明の効果】
【００２０】
本発明の玉揚送装置は、以上の説明から、以下に記載されるような効果を奏する。すなわち、
１．ロータリーバケットによる回転移送体により玉の移送ができる、
２．ロータリーバケットの使用により遊技玉のスムーズな吸い込み、吐き出しができ、かつ構成部品点数の少数化によりコストダウンが図れる、
３．玉揚送装置同士を組合わせた横２連装タイプでは遊技玉の揚送の容量アップを図ることができる、
４．また、玉揚送装置同士を組合わせた縦２連装タイプでは遊技玉の揚送の高さを変えることが可能となる、
である。
【発明を実施するための最良の形態】
【００２１】
以下に、本発明の実施をするための最良の形態を図面に基づいて説明する。
【００２２】
図１は、本発明の玉揚送装置の第一の実施例であり、（ａ）は平面図、（ｂ）は正面図、（ｃ）は側面図である。図２は、本発明の玉揚送装置の第一の実施例である図１の斜視図である。図３は、本発明の玉揚送装置の第一の実施例である図１の分解斜視図である。図４は、本発明の玉揚送装置の第二の実施例であり、（ａ）は平面図、（ｂ）は正面図、（ｃ）は側面図である。図５は、本発明の玉揚送装置の第二の実施例である図４の斜視図である。
【００２３】
また、図６は、図１の第一の実施例及び図２の第二の実施例の構成部品であるロータリーバケットの斜視図である。図７は、本発明の第二の実施例を説明するための側面図である。図８は、本発明の玉揚送装置の第一の実施例を使用して遊技玉の流れを示す概念図である。図9は、本発明の玉揚送装置の第一の実施例を使用して遊技玉の流れを示す斜視図である。図１０は、本発明の玉揚送装置の第二の実施例を使用して遊技玉の流れを示す斜視図である。
【００２４】
また、図１１は、パチンコ遊技機を並列に並べたときの正面図である。但し、本発明の玉揚送装置を説明するために、煩雑となることを避けるため断面の表示を省略している。図１２は、図１の第一の実施例を２個使用したときを説明するための概念図である。
図１３は、図１の第一の実施例を２個使用したときの斜視図である。図１４は、図４の第二の実施例を２個使用したときの斜視図である。図１５は、図１の第一の実施例を２個使用したときを説明するための概念図である。
【００２５】
次に、図１〜図３により、本発明の第一の実施例の玉揚送装置について、その基本構成を説明する。図示するように、本発明の玉揚送装置１は、円周方向に複数の遊技玉を貯留する複数の貯留所２４、２４、…と中心に駆動軸２６１を設けた円形状のロータリーバケット２と、該ロータリーバケット２の片側に位置する駆動部３２を保持する駆動側保持部３と、該ロータリーバケット２の反対側に位置する複数の遊技玉が流入する流入ガイド４２と複数の遊技玉が排出する排出ガイド４３とを設けたガイド側保持部４と、から構成されている。
【００２６】
次に、各構成部材について説明する。まず、図６によりロータリーバケット２を説明する。図示するように、ロータリーバケット２は、円形状であり、当該ロータリーバケット２の外周壁２１と当該外周壁２１から内側に遊技玉５を遊嵌する間隙を設けた内周壁２２と外周壁２１と内周壁２２とに渡る複数の側壁２３、２３、…と、及び中心部に軸孔２６を設けている。当該外周壁２１と内周壁２２と複数の側壁２３とで形成される複数の空間は複数の貯留所２４，２４、…を形成している。当該貯留所２４には、複数の遊技玉５、５、…が遊嵌して貯留される。また、軸孔２６には、駆動軸２６１がロータリーバケット２を回転できるように嵌合して固定されている。また、貯留所２４は、その底面を底部２５とし、底面を閉じた円弧状の空間となっている。但し、底面に底部２５を設けず、図６のロータリーバケット２の左右を貫通した空隙の貯留所２４としても良い。更に、駆動軸２６１の駆動側保持部３側の先端には軸継手２７を固定する。当該軸継手２７は、駆動側保持部３側の軸継手３４と一対をなすものであり、駆動部３２の動力をロータリーバケット２に伝えるものである。
【００２７】
次に、駆動側保持部３を説明する。当該駆動側保持部３は、モーター等の駆動部３２を取り付けた駆動受台３３を板状の保持部本体３１に固定する。また、駆動部３２の駆動軸３２１の先端には軸継手３４を固定する。当該軸継手３４は、ロータリーバケット２の軸継手２７と一対をなすものであり、駆動部３２の動力をロータリーバケット２に伝えるものである。また、保持部本体３１の中心部には、ロータリーバケット２の駆動軸２６１を受ける軸受３５を設けている。更に、保持部本体３１にはＬ字型の固定脚３６が固定されており、当該固定脚３６を遊技島の所定の箇所にネジ等により固定する。
【００２８】
次に、ガイド側保持部４を説明する。当該ガイド側保持部４は、駆動側保持部３の反対側に位置し、板状の保持部本体４１と、当該保持部本体４１の下部には複数の遊技玉５，５、…が流入する流入ガイド４２と、その上部には複数の遊技玉５、５、…が排出する排出ガイド４３とを設けたものである。また、中心部には、ロータリーバケット２の駆動軸２６１を受ける軸受４４を設けている。更に、保持部本体４１にはＬ字型の固定脚４５が固定されており、当該固定脚４５を遊技島の所定の箇所にネジ等により固定する。
【００２９】
次に、流入ガイド４２と排出ガイド４３について説明する。当該流入ガイド４２は、ロータリーバケット２の回転方向に沿ってガイド側保持部４の下方に設けられた流入口４２１に設けられ、回収樋（図８及び９に示す流入樋９１及び排出樋９２を総称して、回収樋と称する）から流入してくる複数の遊技玉５，５、…を吸い込むようになっている。尚、当然ながら、流入ガイド４２は、各パチンコ遊技機から排出される複数の遊技玉を回収する回収樋に接続されている。
【００３０】
詳しく説明すると、流入ガイド４２は、保持部本体４１と平行の平行壁４２ａと、保持部本体４１に直立した突き当て壁４２ｂと、底壁４２ｃとから成り、当該底壁４２ｃは、流入口４２１に向って遊技玉５が流れ込むように傾斜している。
【００３１】
また、排出ガイド４３は、保持部本体４１と平行の平行壁４３ａと、保持部本体４１に直立した突き当て壁４３ｂと、底壁４３ｃとから成り、当該底壁４３ｃは、排出口４３１から遊技玉５が排出して流れ込むようになっている。尚、当然ながら、排出ガイド４３は、次の回収樋に接続されて、各パチンコ遊技機から排出される複数の遊技玉を回収する。
【００３２】
次に、構成部品であるロータリーバケット２と駆動側保持部３とガイド側保持部４との組立について説明する。駆動側本体３１とガイド側本体４１とを対向させてできる空間にロータリーバケット２を回転可能となるように、複数の連結杆２８、２８、…で固定する。通常は、駆動側本体３１とガイド側本体４１とは四角形状であるので、当該四角形状の四隅を４本の連結杆２８で固定する。尚、当然ながら、駆動側保持部３の駆動軸３２１と軸受３５の軸孔とロータリーバケット２の駆動軸２６１とガイド側保持部４の軸受４４の軸孔とは同心であるので、駆動軸２の動力はロータリーバケット２に伝達し当該ロータリーバケット２を回転可能とする。
【００３３】
次に、玉揚送装置１の遊技玉５の流れについて説明する。図１及び２に示すように、回収樋に沿って流れてきた遊技玉は保持部本体４１の下部に設けられた流入ガイド４２に示す矢印側より流入し、流入口４２１よりロータリーバケット２の貯留所２４に入る。そして、駆動部３２により駆動されたロータリーバケット２の回転により保持部本体４１の上部に設けられた排出口４３１から排出ガイド４３に排出される。排出された遊技玉は回収樋に沿って流れていく。
【００３４】
尚、図１（ｃ）に示す玉揚送装置１のロータリーバケット２では、貯留所２４を斜線入りの断面表示としている。当該貯留所２４は、当該断面表示に示すように、下部では、左から右へ下方へ傾いた傾斜をしており、上部では左から右へ上方へ傾いた傾斜をしている。このように、貯留所２４の断面形状を傾斜とすることにより、流入ガイド４２より流入した遊技玉が容易にロータリーバケット２の貯留所２４へ入るようになっており、ロータリーバケット２の上部では、貯留所２４の遊技玉が容易に排出ガイド４３側へ排出されるようになっている。尚、図１（ｃ）では、貯留所２４には底部２５が設けられている。しかし、当該底部２５を設けず貫通していても良い。そのときは、底部２５に替わって保持部本体３１がその機能を果たすことになる。
【００３５】
次に、本発明の第二の実施例について説明する。図４〜図６に示すように、本発明の玉揚送装置６は、円周方向に複数の遊技玉を貯留する複数の貯留所２４、２４、…と中心に駆動軸２６１を設けた円形状のロータリーバケット２と、該ロータリーバケット２の片側に位置する駆動部３２を保持し、かつ保持部本体７１の上部に排出ガイド７２を設けた駆動側保持部７と、該ロータリーバケット２の反対側に位置する複数の遊技玉が流入する流入ガイド８２を設けたガイド側保持部８と、から構成されている。
【００３６】
本発明の第二の実施例と図１に示す第一の実施例との基本的な相違は、排出ガイド７２を駆動側保持部７に設けたことである。また、ロータリーバケット２の貯留所２４には底部２５が無いもので貫通したものである。すなわち、図４（ｃ）により説明すると、左側の流入ガイド８２より流入した遊技玉はロータリーバケット２の上部より排出ガイド７２側に抜け出るために、貯留所２４の底部２５が無いものが必要である。
【００３７】
また、第二の実施例の流入ガイド８２は、保持部本体４１に直立した突き当て壁８２ａ，８２ｂと、底壁８２ｃとから成り、当該底壁８２ｃは、流入口８２１に向って遊技玉５が流れ込むようになっている。また、排出ガイド７２は、保持部本体７１に直立した突き当て壁７２ａ，７２ｂと、底壁７２ｃとから成り、当該底壁７２ｃは、排出口７２１から遊技玉５が排出される。
【００３８】
次に、玉揚送装置６を傾けた場合について説明する。図７に示すように、玉揚送装置６は、通常は、水平線に対してαの傾斜（図では右側へ傾いている）で所定の位置に取付けられている。これは、遊技玉を流入ガイド８２からスムーズにロータリーバケット２に流入させ、しかる後に、ロータリーバケット２から排出ガイド７２へスムーズに排出するためである。また、ロータリーバケット２の貯留所２４の断面形状は、図１とは相違して、傾斜を付けずに、四角形若しくは長方形とする。これは、ロータリーバケット２の片側から遊技玉が流入し、反対側へ排出するためである。
【００３９】
次に、第一の実施例の玉揚送装置を設置したときの遊技玉の搬送について説明する。図８及び９に示すように、玉揚送装置１の右側の流入樋９１から複数の遊技玉５，５、…が流入ガイド４２に流入してくる。尚、流入樋９１は、左側にやや傾斜して、複数の遊技玉５，５、…が流入ガイド４２に流入しやすいようになっている。そして、玉揚送装置１により揚送された複数の遊技玉５、５、…は排出ガイド４３から排出され、排出樋９２により左側へ流出していく。尚、排出樋９２は、流入樋９１と同様に、左側にやや傾斜しているので、複数の遊技玉５、５、…が左側の流入樋９１へ流れ易いようになっている。従って、図１１に示すように複数のパチンコ遊技機９，９、…を並列にならべた遊技島においては、複数の遊技玉５、５、…を揚送するのに、設置された玉揚送装置１は構成部品点数少数によりメンテナンス性に優れているので、作業者の負荷を低減することができる。
【００４０】
次に、第二の実施例の連結された玉揚送装置を設置したときの遊技玉の搬送について説明する。図１０に示すように、右側の玉揚送装置６の右側の流入樋９１から複数の遊技玉が流入ガイド８２に流入してくる。尚、流入樋９１は、左側にやや傾斜して、複数の遊技玉が流入ガイド８２に流入しやすいようになっている。そして、玉揚送装置６により揚送された複数の遊技玉は排出ガイド７２から排出され、排出樋９２により左側へ流出していく。尚、排出樋９２は、流入樋９１と同様に、左側にやや傾斜しているので、複数の遊技玉が左側の流入樋９１へ流れ易いようになっている。以下、図８及び９と同様のため、説明を省略する。
【００４１】
次に、本発明の玉揚送装置を複数のパチンコ遊技機を並列に設置した遊技島に設置した場合について説明する。図１１は、複数のパチンコ遊技機９，９、…を並列に並べた遊技島である。図示するように、複数のパチンコ遊技機９，９、…を並列に並べた遊技島の下方部には第一の実施例に示す玉揚送装置１が設置されている。そして、当該遊技島の下部に設けられた複数の貯留タンク９５、９５、…に複数のパチンコ遊技機９、９、…から回収された複数の遊技玉を貯留する。当該貯留された複数の遊技玉は、当該貯留タンク９５の傾斜により図１１の左側へ搬送される。そして、当該複数の遊技玉は、複数の貯留タンク９、９、…の間に設けられた当該玉揚送装置１により揚送されて左側に設けられている揚送装置９４の下部に設けられた下部タンクに貯留され、当該貯留された遊技玉を揚送装置９４により上部に揚送し、当該揚送装置９４の上部に設けられた上部タンクに貯留する。尚、玉揚送装置１の遊技玉を流入ガイドに受けて、ロータリーバケットにより揚送して排出ガイドより遊技玉を排出することについての詳細は、図８及び９で説明したので省略する。尚、玉揚送装置１は、図１（ｂ）の正面図の位置で設置されている。
【００４２】
そして、揚送装置９４の上部タンクに貯留された遊技玉は、供給樋９３を伝わって、各パチンコ遊技機９、９、…に補給される。そして、遊技島の上部には、複数の玉揚送装置６，６、…が設置されているので、遊技玉を揚送しながら、各パチンコ遊技機９、９、…に補給する。このように、複数の玉揚送装置６、６、…を設置することにより、小段差での揚送を可能にしている。従って、遊技島全体の高さを低く抑えることができるので、遊技島上方の視界に圧迫感を与えることがなく遊技場全体の見映えを良くすることができ、さらに防犯カメラの死角が生じ難く、セキュリティ対策にも好適するものである。
【００４３】
次に、第一の実施例の玉揚送装置を２個使用した横２連装タイプの玉揚送装置について説明する。図１３に示すように、当該横２連装タイプの玉揚送装置は、２個の玉揚送装置１を対向させて配置して複数の連結杆１１、１１、…で連結して固定したものである。流入ガイド及び排出ガイドは一体化された流入ガイド１２及び排出ガイド１３を使用する。但し、単体のときの流入ガイド４２及び排出ガイド４３を使用しても良い。複数の遊技玉は一体化された流入ガイド１２より矢印に従って、夫々の玉揚送装置１，１に流入し、それぞれのロータリーバケット２，２により揚送されて矢印に従って一体化された排出ガイド１３に排出される。このように、横２連装タイプの玉揚送装置は、遊技玉をより多量に揚送することができる。
【００４４】
尚、図１２は、横２連装タイプの概念を表した概念図である。すなわち、左右の玉揚送装置１，１の下側の流入口４２１、４２１より矢印方向に流入した遊技玉は、上側の排出口４３１、４３１から矢印の方向に排出される。
【００４５】
次に、第二の実施例の玉揚送装置を２個使用した縦２連装タイプの玉揚送装置について説明する。図１４に示すように、当該縦２連装タイプの玉揚送装置は、２個の玉揚送装置６、６を上下に配置して、２個のジョイント金具６１、６１を使用して、当該２個のジョイント金具６１，６１の上部を連結杆２８，２８により固定し、下部を２個の連結固定具６２、６２（連結杆と兼用）により固定したものである。そのとき、下部の玉揚送装置６の排出ガイドと上部の玉揚送装置６の流入ガイドとは、共に設けずに、下部の玉揚送装置６の排出口と上部の玉揚送装置６の流入口とを直接接するように取付け、排出流入口６３としている。
【００４６】
次に、遊技玉の流れについて説明する。下方の玉揚送装置６の流入ガイド８２から矢印に沿って流入した複数の遊技玉は、ロータリーバケット２の矢印の時計回り方向に沿って上部へ揚送される。そして、排出流入口６３から上部の玉揚送装置６に揚送された複数の遊技玉はロータリーバケット２の反時計回りの矢印方向に沿って揚送されて、排出ガイド７２から排出される。
【００４７】
次に、図１５に示す縦２連装タイプの玉揚送装置について説明する。図示するように、２個の玉揚送装置１を上下に設置したもので、下部の玉揚送装置１の排出口４３１を上部の玉揚送装置１の流入口４２１とを直接接するようにして排出流入口１４として組み立てたものである。次に、遊技玉の流れを説明する。複数の遊技玉は下部の玉揚送装置１の左側の流入口４２１から矢印の方向にロータリーバケット２に流入して揚送される。その後、排出流入口１４から矢印の方向に上部の玉揚送装置１のロータリーバケット２に流入し揚送される。揚送された遊技玉は上部の玉揚送装置１の右側に位置する排出口４３１から矢印の方向に排出される。また、遊技玉の流入を容易にするために、ロータリーバケット２の貯留所の断面形状は、図１（ｃ）と同様に、図１５に示す斜線の断面形状のように傾斜した断面としている。
【００４８】
また、図１４の縦２連装タイプとの相違は、図１４では、遊技玉の流入及ぶ排出が、玉揚送装置６のロータリーバケット２の軸線方向であるが、図１５では、遊技玉の流入及ぶ排出が、玉揚送装置１のロータリーバケット２の軸線方向と直角、すなわち回転方向に平行である。この相違は、縦２連装タイプを組み立てている玉揚送装置が玉揚送装置１であるか、玉揚送装置６であるかの相違に基づくものである。尚、図１４又は図１５のいずれの縦２総連タイプでも、遊技玉を揚送する揚送高さを容易に高くすることができる。
【００４９】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【産業上の利用可能性】
【００５０】
本発明は、複数のパチンコ遊技機を並列に並べた遊技島において、遊技玉の循環回収装置としての玉揚送装置として適用できる。また、遊技玉を使用する遊技機の玉揚送装置としても適用できる。
【図面の簡単な説明】
【００５１】
【図１】図１は、本発明の玉揚送装置の第一の実施例であり、（ａ）は平面図、（ｂ）は正面図、（ｃ）は側面図である。
【図２】図２は、本発明の玉揚送装置の第一の実施例である図１の斜視図である。
【図３】図３は、本発明の玉揚送装置の第一の実施例である図１の分解斜視図である。
【図４】図４は、本発明の玉揚送装置の第二の実施例であり、（ａ）は平面図、（ｂ）は正面図、（ｃ）は側面図である。
【図５】図５は、本発明の玉揚送装置の第二の実施例である図４の斜視図である。
【図６】図６は、図１の第一の実施例及び図２の第二の実施例の構成部品であるロータリーバケットの斜視図である。
【図７】図７は、本発明の第二の実施例を説明するための側面図である。
【図８】図８は、本発明の玉揚送装置の第一の実施例を使用して遊技玉の流れを示す概念図である。
【図９】図9は、本発明の玉揚送装置の第一の実施例を使用して遊技玉の流れを示す斜視図である。
【図１０】図１０は、本発明の玉揚送装置の第二の実施例を使用して遊技玉の流れを示す斜視図である。
【図１１】図１１は、パチンコ遊技機を並列に並べたときの正面図である。但し、本発明の玉揚送装置を説明するために、煩雑となることを避けるため断面の表示を省略している。
【図１２】図１２は、図１の第一の実施例を２個使用したときを説明するための概念図である。
【図１３】図１３は、図１の第一の実施例を２個使用したときの斜視図である。
【図１４】図１４は、図４の第二の実施例を２個使用したときの斜視図である。
【図１５】図１５は、図１の第一の実施例を２個使用したときを説明するための概念図である。
【符号の説明】
【００５２】
１  玉揚送装置
１１、１１、…  連結杆      １２  流入ガイド      １３  排出ガイド
１４  排出流入口
２  ロータリーバケット
２１  外周壁      ２２内周壁      ２３  側壁      ２４  貯留所
２５  底部      ２６  軸孔      ２６１  駆動軸
２７  軸継手      ２８，２８、…  連結杆
３  駆動側保持部
３１  保持部本体      ３２  駆動部  ３２１  駆動軸      ３３  駆動受台
３４  軸継手      ３５  軸受      ３６  固定脚
４  ガイド側保持部
４１  保持部本体      ４２  流入ガイド      ４２ａ  平行壁
４２ｂ  突き当て壁      ４２ｃ  底壁      ４２１  流入口
４３  排出ガイド      ４３ａ  平行壁      ４３ｂ  突き当て壁
４３ｃ  底壁      ４３１  排出口      ４４  軸受      ４５  固定脚
５、５、…  遊技玉
６  玉揚送装置
６１  ジョイント金具      ６２  連結固定具      ６３  排出流入口
７  駆動側保持部
７１  保持部本体      ７２  排出ガイド      ７２ａ，７２ｂ  突き当て壁
７２ｃ  底壁      ７２１  排出口
８  ガイド側保持部
８１  保持部本体      ８２  流入ガイド      ８２ａ，８２ｂ  突き当て壁
８２ｃ  底壁      ８２１  流入口
９、９、…  パチンコ遊技機
９１  流入樋      ９２  排出樋      ９３  供給樋      ９４揚送装置
９５  貯留タンク
α  角度
【図１】
2006254956.tif 000003
【図２】
2006254956.tif 000004
【図３】
2006254956.tif 000005
【図４】
2006254956.tif 000006
【図５】
2006254956.tif 000007
【図６】
2006254956.tif 000008
【図７】
2006254956.tif 000009
【図８】
2006254956.tif 000010
【図９】
2006254956.tif 000011
【図１０】
2006254956.tif 000012
【図１１】
2006254956.tif 000013
【図１２】
2006254956.tif 000014
【図１３】
2006254956.tif 000015
【図１４】
2006254956.tif 000016
【図１５】
2006254956.tif 000017